【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
複数のシリアル接続小型コンピュータシステムインターフェース（ＳＡＳ）エクスパンダを組み合わせるための方法であって、
第１のＳＡＳエクスパンダの少なくとも１つの第１番の物理ポートを、前記第１のＳＡＳエクスパンダと物理的に別個である第２のＳＡＳエクスパンダの少なくとも１つの第２番の物理ポートとともに、少なくとも１つの共通ＳＡＳワイドポートにとりまとめることと、
前記第１のＳＡＳエクスパンダ及び前記第２のＳＡＳエクスパンダに同一ＳＡＳアドレスを割り当てることと、
エクスパンダ間通信のために、前記第１のＳＡＳエクスパンダを前記第２のＳＡＳエクスパンダに直接接続することと、
を備える方法。
【請求項２】
請求項１に記載の方法であって、
前記第１のＳＡＳエクスパンダの少なくとも１つの第１番の物理ポートを、前記第１のＳＡＳエクスパンダと物理的に別個である第２のＳＡＳエクスパンダの少なくとも１つの第２番の物理ポートとともに、少なくとも１つの共通ＳＡＳワイドポートにとりまとめることは、更に、
前記少なくとも１つの共通ＳＡＳワイドポートに第２の同一ＳＡＳアドレスを割り当てることを含む、方法。
【請求項３】
請求項１に記載の方法であって、
前記第１のＳＡＳエクスパンダ及び前記第２のＳＡＳエクスパンダに同一ＳＡＳアドレスを割り当てることは、更に、
前記第１のＳＡＳエクスパンダ及び前記第２のＳＡＳエクスパンダで実行されるファームウェアを通じて前記第１のＳＡＳエクスパンダ及び前記第２のＳＡＳエクスパンダに前記同一ＳＡＳアドレスを割り当てることを含む、方法。
【請求項４】
請求項１に記載の方法であって、
前記第１のＳＡＳエクスパンダ及び前記第２のＳＡＳエクスパンダに同一ＳＡＳアドレスを割り当てることは、更に、
前記第１のＳＡＳエクスパンダ及び前記第２のＳＡＳエクスパンダの物理ポートの番号を、前記単一の一体的ＳＡＳエクスパンダの単一の論理的順番の物理ポート番号として再マッピングすることを含む、方法。
【請求項５】
請求項４に記載の方法であって、
前記第１のＳＡＳエクスパンダの前記第１番の物理ポートは、前記単一の論理的順番の番号の第１の範囲に入るように再マッピングされ、前記第２のＳＡＳエクスパンダの前記第２番の物理ポートは、前記単一の論理的順番の番号の第２の範囲に入るように再マッピングされる、方法。
【請求項６】
請求項１に記載の方法であって、
前記エクスパンダ間通信は、ＳＡＳマネージメントプロトコルを用いる、方法。
【請求項７】
請求項１に記載の方法であって、
前記エクスパンダ間通信のために、前記第１のＳＡＳエクスパンダを前記第２のＳＡＳエクスパンダに直接接続することは、前記第１のＳＡＳエクスパンダの物理ポート及び前記第２のＳＡＳエクスパンダの物理ポートを通じて実施される、方法。
【請求項８】
請求項７に記載の方法であって、
前記エクスパンダ間通信のための前記第１のＳＡＳエクスパンダの物理ポート及び前記エクスパンダ間通信のための前記第２のＳＡＳエクスパンダの物理ポートが、プライマリスイッチドメインから隠される、方法。
【請求項９】
請求項７に記載の方法であって、
前記第１のＳＡＳエクスパンダと前記第２のＳＡＳエクスパンダとの間の前記エクスパンダ間通信のために、前記第１のＳＡＳエクスパンダの少なくとも２つの物理ポート及び前記第２のＳＡＳエクスパンダの少なくとも２つの物理ポートが使用される、方法。
【請求項１０】
請求項１に記載の方法であって、
前記第１のＳＡＳエクスパンダの少なくとも１つの第１番の物理ポートを、前記第１のＳＡＳエクスパンダと物理的に別個である第２のＳＡＳエクスパンダの少なくとも１つの第２番の物理ポートとともに、少なくとも１つの共通ＳＡＳワイドポートにとりまとめることは、ＳＡＳエクスパンダ障害時、少なくとも１つのＳＡＳエクスパンダが尚も動作していれば、全ての共通ＳＡＳワイドポートを低下した帯域幅で動作させつつ接続性を継続させることを可能にする、方法。
【請求項１１】
物理的に別個の複数のＳＡＳエクスパンダを含む単一の一体的シリアル接続小型コンピュータシステムインターフェース（ＳＡＳ）エクスパンダであって、
少なくとも１つの第１番の物理ポートを含む第１のＳＡＳエクスパンダと、
少なくとも１つの第２番の物理ポートを含む第２のＳＡＳエクスパンダであって、前記第２のＳＡＳエクスパンダは、前記第１のＳＡＳエクスパンダと物理的に別個であり、前記第１のＳＡＳエクスパンダ及び前記第２のＳＡＳエクスパンダは、前記第１のＳＡＳエクスパンダと前記第２のＳＡＳエクスパンダとを単一の一体的ＳＡＳエクスパンダとして動作させるために同一ＳＡＳアドレスを共有する、第２のＳＡＳエクスパンダと、
前記少なくとも１つの第１番の物理ポートと前記少なくとも１つの第２番の物理ポートとを組み合わせるための、少なくとも１つの共通ＳＡＳワイドポートと、
を備え、
前記第１のＳＡＳエクスパンダは、エクスパンダ間通信のために、前記第２のＳＡＳエクスパンダに直接接続される、単一の一体的ＳＡＳエクスパンダ。
【請求項１２】
請求項１１に記載の単一の一体的ＳＡＳエクスパンダであって、
前記少なくとも１つの共通ＳＡＳワイドポートは、更に、
全ての共通ＳＡＳワイドポートで共有される第２の同一ＳＡＳアドレスを含む、単一の一体的ＳＡＳエクスパンダ。
【請求項１３】
請求項１１に記載の単一の一体的ＳＡＳエクスパンダであって、
前記第１のＳＡＳエクスパンダ及び前記第２のＳＡＳエクスパンダは、それぞれ、単一の一体的ＳＡＳエクスパンダとして動作するためにファームウェアを実行する、単一の一体的ＳＡＳエクスパンダ。
【請求項１４】
請求項１１に記載の単一の一体的ＳＡＳエクスパンダであって、
前記第１のＳＡＳエクスパンダ及び前記第２のＳＡＳエクスパンダの物理ポートの番号は、前記単一の一体的ＳＡＳエクスパンダの単一の論理的順番の物理ポート番号として再マッピングされる、単一の一体的ＳＡＳエクスパンダ。
【請求項１５】
請求項１４に記載の単一の一体的ＳＡＳエクスパンダであって、
前記第１のＳＡＳエクスパンダの前記少なくとも１つの第１番の物理ポートは、前記単一の論理的順番の番号の第１の範囲に入るように再マッピングされ、前記少なくとも１つの第２番の物理ポートは、前記単一の論理的順番の番号の第２の範囲に入るように再マッピングされる、単一の一体的ＳＡＳエクスパンダ。
【請求項１６】
請求項１１に記載の単一の一体的ＳＡＳエクスパンダであって、
前記エクスパンダ間通信は、ＳＡＳマネージメントプロトコルを用いる、単一の一体的ＳＡＳエクスパンダ。
【請求項１７】
請求項１１に記載の単一の一体的ＳＡＳエクスパンダであって、
前記第１のＳＡＳエクスパンダは、前記エクスパンダ間通信のための前記第１のＳＡＳエクスパンダの物理ポート及び前記第２のＳＡＳエクスパンダの物理ポートを通じて前記第２のＳＡＳエクスパンダに直接接続される、単一の一体的ＳＡＳエクスパンダ。
【請求項１８】
請求項１７に記載の単一の一体的ＳＡＳエクスパンダであって、
前記エクスパンダ間通信のための前記第１のＳＡＳエクスパンダの物理ポート及び前記第２のＳＡＳエクスパンダの物理ポートは、プライマリスイッチドメインから隠される、単一の一体的ＳＡＳエクスパンダ。
【請求項１９】
請求項１７に記載の単一の一体的ＳＡＳエクスパンダであって、
前記第１のＳＡＳエクスパンダは、前記エクスパンダ間通信のための前記第１のＳＡＳエクスパンダの少なくとも２つの物理ポート及び前記第２のＳＡＳエクスパンダの少なくとも２つの物理ポートを通じて前記第２のＳＡＳエクスパンダに直接接続される、単一の一体的ＳＡＳエクスパンダ。
【請求項２０】
請求項１１に記載の単一の一体的ＳＡＳエクスパンダであって、
前記少なくとも１つの第１番の物理ポートと前記少なくとも１つの第２番の物理ポートとを組み合わせるための前記少なくとも１つの共通ＳＡＳワイドポートは、ＳＡＳエクスパンダ障害時、もし少なくとも１つのＳＡＳエクスパンダが動作していれば、全ての共通ＳＡＳワイドポートを低下した帯域幅で動作させつつ接続性を継続させることを可能にする、単一の一体的ＳＡＳエクスパンダ。